(57)【要約】【目的】    停電、地震等、災害時の光源がない場合において使用し、無機質蓄光材による発光と必要においては反射材との組み合わせによる安全避難誘導のための避難できる照度を長時間保ったり、光のリサイクルによる省エネ効果をもたらすという優れた蓄光材を利用した災害時の安全避難誘導器具・光のリサイクルによる省エネ器具及び該器具に反射材を併用した災害時の安全避難誘導器具・光のリサイクルによる省エネ器具を提供する。【構成】  蓄光照明板（１）を基プレート（２）に貼着し、留め金具取付ビス穴（３）を穿設して器具本体（４）を成形し、器具本体（４）を既存蛍光灯（５）に重着し、そして、留め金具（６）で挟持し、留め金具取付ビス（７）と留め金具取付ナット（８）で固着し、蓄光照明板（１）に反射材（９）を貼着、基プレート（２）に貼着し、留め金具取付ビス穴（３）を穿設して器具本体（４）を成形し、器具本体（４）を既存蛍光灯（５）に重着し、そして、留め金具（６）で挟持し、留め金具取付ビス（７）と留め金具取付ナット（８）で固着することを特徴とする。【選択図】    図１
0003105640.tif 000002
【実用新案登録請求の範囲】
【請求項１】
蓄光照明板（１）を基プレート（２）に貼着し、留め金具取付ビス穴（３）を穿設して器具本体（４）を成形し、器具本体（４）を既存蛍光灯（５）に重着し、そして、留め金具（６）で挟持し、留め金具取付ビス（７）と留め金具取付ナット（８）で固着した蓄光材を利用した災害時の安全避難誘導器具・光のリサイクルによる省エネ器具
【請求項２】
蓄光照明板（１）に反射材（９）を貼着、基プレート（２）に貼着し、留め金具取付ビス穴（３）を穿設して器具本体（４）を成形し、器具本体（４）を既存蛍光灯（５）に重着し、そして、留め金具（６）で挟持し、留め金具取付ビス（７）と留め金具取付ナット（８）で固着した蓄光材を利用した災害時の安全避難誘導器具・光のリサイクルによる省エネ器具及び該器具に反射材を併用した災害時の安全避難誘導器具・光のリサイクルによる省エネ器具
【考案の詳細な説明】
【考案の詳細な説明】
【技術分野】
【０００１】  本考案は、停電、地震等、災害時の安全避難誘導、光のリサイクルによる省エネ効果をなすためのものであり、詳しくは蓄光材を利用した災害時の安全避難誘導器具・光のリサイクルによる省エネ器具及び該器具に反射材を併用した災害時の安全避難誘導器具・光のリサイクルによる省エネ器具に関するものである。
【背景技術】
【０００２】  従来、この種の技術としては、既存の蛍光灯の周囲に光反射面や反射材を付けたものや、蓄光塗料を塗布したり、蓄光材を用いて蓄光性被膜を形成する方法が知られている。
【考案が解決しようとする課題】
【０００３】  従来の技術で述べたもののうち前者においては、既存の蛍光灯の光源がないと反射面としての効果がなく、反射材を使用しても光を照射しないと反射しないという問題点を有していた。
【０００４】  また、後者においては、蓄光材料を塗布したり、蓄光性被膜を形成しても蓄光材が薄くてその光力が弱く、短時間しか発光せず、したがって残光性が少ないという問題点を有していた。
【０００５】  本考案は、従来の技術の有するこのような問題点に鑑みてなされたものであり、その目的とするところは、停電、地震等、災害時の光源がない場合において使用し、無機質蓄光材による発光と必要においては反射材との組み合わせによる安全避難誘導のための避難できる照度を長時間保ったり、光のリサイクルによる省エネ効果をもたらすという優れた蓄光材を利用した災害時の安全避難誘導器具・光のリサイクルによる省エネ器具及び該器具に反射材を併用した災害時の安全避難誘導器具・光のリサイクルによる省エネ器具を提供しようとするものである。
【課題を解決するための手段】
【０００６】  上記目的を達成するために、本考案における蓄光材を利用した災害時の安全避難誘導器具・光のリサイクルによる省エネ器具及び該器具に反射材を併用した災害時の安全避難誘導器具・光のリサイクルによる省エネ器具は、蓄光照明板を基プレートに貼着し、留め金具取付ビス穴を穿設して器具本体を成形し、器具本体を既存蛍光灯に重着し、そして、留め金具で挟持し、留め金具取付ビスと留め金具取付ナットで固着し、蓄光照明板に反射材を貼着、基プレートに貼着し、留め金具取付ビス穴を穿設して器具本体を成形し、器具本体を既存蛍光灯に重着し、そして、留め金具で挟持し、留め金具取付ビスと留め金具取付ナットで固着してなるものである。
【０００７】  基プレートは、錆びを防止するためにフッ素系塗布の鋼板を使用することが好ましい。
【０００８】  留め金具、留め金具取付ビス、留め金具取付ナットも上述と同様に錆び対策としてアルミニウム系やステンレスを使用すればよい。
【０００９】  また、反射材は不燃性を保つためにステンレスやアルミニウム系の金属を使用すればよい。
【００１０】  蓄光照明板は、不燃性樹脂と蓄光材を使用すればよい。
【考案を実施するための最良の形態】
【００１１】  考案の実施の形態について図面を参照にして説明する。
図１〜図８において、蓄光照明板は、不燃性樹脂と蓄光材の加工物であり、１．２ｍｍ〜３．０ｍｍ程度の肉厚を有する略長方形の板状に成型機にて成型されており、φ４ｍｍ〜φ６ｍｍの留め金具取付ビス穴が穿設されている。基プレートは１．５ｍｍ〜２．０ｍｍ程度の肉厚を有するステンレスを使用し、略長方形の板状に成形されており、留め金具も上述と同様のステンレス板を使用し、長方形に切断した後略コの字に板金加工されている。留め金具取付ビスも同素材であり、φ２．５ｍｍ〜φ４．０ｍｍ程度、長さは５ｍｍ〜１０ｍｍであり、同素材のナットが螺着されている。反射材はアルミニウム合金のシールが使用され、幅１０ｍｍ〜３０ｍｍに裁断され、接着剤で接着されている。【００１２】  基プレートは、アルミニウム系、ステンレスを使用してもよいが湿度等錆びを考慮する必要がなければ普通の鋼板を使用してもよい。【００１３】  蓄光照明板は残光時間、光力を保つため１．５ｍｍ以上にするほうがよい。【００１４】  ここでは器具本体を既存の蛍光灯に取り付けるのに留め金具を使用しているが、取り付け対象物の状況によっては、蓄光照明板の裏側をマグネットとして取り付けてもよい。【００１５】  そして、取り付け対象物の状況と発光目的によっては、取り付け具をマグネットとし、蓄光照明板を略Ｕ字状にして取り付けてもよい。【００１６】  また、既存の蛍光灯がプラスチック系の物であれば、接着剤で取り付けてもよい。【００１７】  そして、留め金具取付ビスもφ３ｍｍ、長さ５ｍｍ程度のピンを基プレートに直接溶接し、留め金具取付穴に差し込むようにしてもよい。
【考案の効果】
【００１８】  本考案は、上述のとおり構成されているので、次に記載する効果を奏する。
【００１８】  蓄光照明板は蓄光材を使用しており、このため既存の蛍光灯により蓄光しているので停電、地震等、災害時の光源がなくても発光するので、安全避難誘導のための避難できる照度を長時間保つことが期待できる。また、既存の蛍光灯の光を蓄光しているので、必要時や災害時において蛍光灯を消灯しても発光するので、光のリサイクルによる省エネ効果をもたらすことが期待できる。
【図面の簡単な説明】
【図１】  既存の蛍光灯、器具本体取り付け時の斜視図である。
【図２】  蓄光照明板の斜視図である。
【図３】  基プレートの斜視図である。
【図４】  蓄光照明板、基プレート、留め金具、留め金具取付ビス、留め金具取付ナットの斜視図である。
【図５】  蓄光照明板、反射材の斜視図である。
【図６】  蓄光照明板、基プレート、留め金具、留め金具取付ビス、留め金具取付ナットの断面図である。
【図７】  マグネット、蓄光照明板の断面図である。
【図８】  取り付け具、蓄光照明板の断面図である。
【符号の説明】
１．蓄光照明板
２．基プレート
３．留め金具取付ビス穴
４．器具本体
５．既存蛍光灯
６．留め金具
７．留め金具取付ビス
８．留め金具取付ナット
９．反射材
【図１】
0003105640.tif 000003
【図２】
0003105640.tif 000004
【図３】
0003105640.tif 000005
【図４】
0003105640.tif 000006
【図５】
0003105640.tif 000007
【図６】
0003105640.tif 000008
【図７】
0003105640.tif 000009
【図８】
0003105640.tif 000010